(57)【要約】【課題】押さえ巻きを光ファイバテープ心線のすぐ近くで刃物を使うことなく容易に切断でき、一段と作業性をよくして作業時間を短縮することのできるようにする。【解決手段】押さえ巻きを縦巻きに巻いて、押さえ巻き両端間に隙間が設けられた開き巻き構造を形成し、シースを引き裂いた後に、隙間に指を入れて押さえ巻きの端部を把持して押さえ巻きを切断、除去するようにした中間後分岐作業方法が形成される。【選択図】図１
2009271300.tif 000002
【特許請求の範囲】
【請求項１】
スペーサに光ファイバテープ心線が収容され、その上側に粗巻きと押さえ巻きが巻かれた光ファイバ心線集合構造体を有し、更にそれらの上側に他の粗巻きが巻かれ、その上にシースが施された構造を有するテープスロット型光ファイバケーブルにおいて、
前記押さえ巻きは、縦巻きに巻かれ、該押さえ巻き両端間に隙間が設けられた開き巻き構造が形成されること
を特徴とするテープスロット型光ファイバケーブル。
【請求項２】
請求項１において、開き構造の隙間には、前記押さえ巻き解放時に、解放前の隙間よりも大きな隙間が形成されたことを特徴とするテープスロット型光ファイバケーブル。
【請求項３】
請求項１において、前記押さえ巻きには端部に複数の切れ目を設けたこと
を特徴とするテープスロット型光ファイバケーブル。
【請求項４】
請求項１において、シースに熱可塑性樹脂が使用され、粗巻きに熱可塑性樹脂が使用され、該粗巻きは前記シースの前記光ファイバ心線集合体上への高温加熱成形被覆時に、前記開き巻構造の隙間を介して熱移動によって溶融して切断状態に置かれたことを特徴とするテープスロット型光ファイバケーブル。
【請求項５】
スペーサに光ファイバテープ心線が収容され、その上側に粗巻きと押さえ巻きが巻かれた光ファイバ心線集合構造体を有し、更にそれらの上側に他の粗巻が巻かれ、その上にシースが施された構造を有するテープスロット型光ファイバケーブルの中間後分岐作業方法において、
前記押さえ巻きを縦巻きに巻いて、前記押さえ巻き両端間に隙間が設けられた開き巻き構造を形成し、前記シースを引き裂いた後に、隙間に指を入れて前記押え巻きの端部を把持して該押さえ巻きを切断、除去するようにしたこと
を特徴とするテープスロット型光ファイバケーブルの中間後分岐作業方法。
【請求項６】
請求項５において、シースに熱可塑性樹脂を使用し、粗巻きに熱可塑性樹脂を使用し、該粗巻きを前記シースの前記光ファイバ心線集合体上への高温加熱成形被覆時に、前記開き巻構造の隙間を介して熱移動によって溶融して切断状態に置き、前記押さえ巻きを除去後または除去と同時に前記粗巻きを除去することを特徴とするテープスロット型光ファイバケーブルの中間後分岐作業方法。
【発明の詳細な説明】
【技術分野】
【０００１】
テープスロット型光ファイバケーブルおよびこのテープスロット型光ファイバケーブルの中間後分岐作業方法に関する。
【背景技術】
【０００２】
ＦＴＴＨ配線ケーブルとして多くの光ファイバケーブルが開発されて来ている。その内の１つとしてＳＺ撚りテープスロット型光ファイバケーブルがあり、このＳＺ撚りテープスロット型光ファイバケーブルは、ケーブルを切断せずに光ファイバテープ心線を取り出すいわゆる中間後分岐作業に適しているために広く採用されている。この中間後分岐作業は光ファイバ加入者へ光ファイバを引き込むために、光ファイバケーブルの長手方向に数１０ｃｍに亘りシースを除去して光ファイバケーブルから光ファイバ心線を取り出す作業が必要となる。テープスロット型光ファイバケーブルでは、光ファイバ心線を取り出すために、シースを除去した後に、刃物などを使って押さえ巻きと粗巻きとを切断することが行なわれてきた。
【０００３】
非特許文献１には、押さえ巻きと粗巻きを光ファイバ心線のすぐ近くで刃物を使うことなく容易に切断することのできる中間後分岐作業並びにこの作業を行うためのＳＺ撚りテープスロット型光ケーブルの構造が記載されている。
【０００４】
特許文献１には、下部のばし作業がやりやすいように考慮された中間後分岐工法が記載されている。
【０００５】
特許文献２には、外皮にミシン目状切欠きを設けることが記載されている。
【０００６】
【非特許文献１】２００８年１月ＳＥＩテクニカルレビュー第１７２号１４４〜１４７ページ
【特許文献１】特開２００３−２１７２８号公報
【特許文献２】実開平５−２９０１０号公報
【発明の開示】
【発明が解決しようとする課題】
【０００７】
非特許文献１には、粗巻きには、材料に低融点材料を採用するとともに、押さえ巻きには押さえ巻き間に隙間を設けて巻き構造として、粗さを押さえ巻き間の隙間の部位でケーブル製造時のシースの熱で切断すること、および押さえ巻きについては、指で摘んで切断することが記載されている。
【０００８】
このような方法、構造を採用することによって刃物を使用することなく押さえ巻きあるいは粗巻きを切断することによって作業時間を短縮できるようになったが、ＦＴＴＨの普及のために更に一段と作業性をよくして作業時間を短縮することが求められている。
【０００９】
本発明は、かかる点に鑑みて押さえ巻きを光ファイバテープ心線のすぐ近くで刃物を使うことなく容易に切断でき、一段と作業性をよくして作業時間を短縮することのできるテープスロット型光ファイバケーブルおよび中間後分岐作業方法を提供することを目的とする。
【課題を解決するための手段】
【００１０】
本発明は、スペーサに光ファイバテープ心線が収容され、その上側に粗巻きと押さえ巻きが巻かれた光ファイバ心線集合構造体を有し、更にそれらの上側に他の粗巻きが巻かれ、その上にシースが施された構造を有するテープスロット型光ファイバケーブルにおいて、
前記押さえ巻きは、縦巻きに巻かれ、該押さえ巻き両端間に指が入る隙間が設けられた開き巻き構造が形成されること
を特徴とするテープスロット型光ファイバケーブルを提供する。
【００１１】
本発明は、また、開き構造の隙間には、前記押さえ巻き解放時に、解放前の隙間よりも大きな隙間が形成されたことを特徴とするテープスロット型光ファイバケーブルを提供する。
【００１２】
本発明は、また、前記押さえ巻きには端部に複数の切れ目を設けたこと
を特徴とするテープスロット型光ファイバケーブルを提供する。
【００１３】
本発明は、また、シースに熱可塑性樹脂が使用され、粗巻きに熱可塑性樹脂が使用され、該粗巻きは前記シースの前記光ファイバ心線集合体上への高温加熱成形被覆時に、前記開き巻構造の隙間を介して熱移動によって溶融して切断状態に置かれたことを特徴とするテープスロット型光ファイバケーブルを提供する。
【００１４】
本発明は、また、スペーサに光ファイバテープ心線が収容され、その上側に粗巻きと押さえ巻きが巻かれた光ファイバ心線集合構造体を有し、更にそれらの上側に他の粗巻が巻かれ、その上にシースが施された構造を有するテープスロット型光ファイバケーブルの中間後分岐作業方法において、
前記押さえ巻きを縦巻きに巻いて、前記押さえ巻き両端間に隙間が設けられた開き巻き構造を形成し、前記シースを引き裂いた後に、隙間に指を入れて前記押え巻きの端部を把持して該押さえ巻きを切断、除去するようにしたこと
を特徴とするテープスロット型光ファイバケーブルの中間後分岐作業方法を提供する。
【００１５】
本発明は、また、シースに熱可塑性樹脂を使用し、粗巻きに熱可塑性樹脂を使用し、該粗巻きを前記シースの前記光ファイバ心線集合体上への高温加熱成形被覆時に、前記開き巻構造の隙間を介して熱移動によって溶融して切断状態に置き、前記押さえ巻きを除去後または除去と同時に前記粗巻きを除去することを特徴とするテープスロット型光ファイバケーブルの中間後分岐作業方法を提供する。
【発明の効果】
【００１６】
本発明によれば、押さえ巻きを巻く時に、縦巻きに巻かれて、解放時に、押さえ巻き両端間に、当初形成しておいた隙間以上の間隙の隙間が形成されるので、中間後分岐作業を行う時に、縦巻きによる締りの弱さを利用して拡大した隙間が形成できて、容易に指を挿入することができるため中間後分岐作業を容易に行うことができる。
【発明を実施するための最良の形態】
【００１７】
以下、本発明の１実施例を図面に基づいて説明する。
【実施例】
【００１８】
図１は、本発明の実施例であるテープスロット型光ファイバケーブルであって、中間後分岐作業のためにシースが一部除去された状態を示す図であり、図２はシース部における断面を示す図である。
【００１９】
図１，図２において、テープスロット型光ファイバケーブル１００は、スロット、例えばＳＺ撚り溝付きのスペーサ１にスロット（スロット溝）２形成され、このスロット２内に光ファイバテープ心線３が配設、すなわち収容される。ＳＺと呼ばれてスロット２は、スロット溝が交互に反転しながら軸方向に進行するように形成されているもので、光ファイバケーブルの中間後分岐を行う場合に操作性に優れているという特徴を有している。スロット２内に光ファイバテープ心線３が収容されるとスロット２から光ファイバテープ心線３が外方へ外れることを防止するために一定間隔で粗巻き４が巻きつけられる。この粗巻き４の上側に押さえ巻き５が巻きつけられる。この例の場合、押さえ巻き５の巻き角度は３６０°に達せず、両端間には指が挿入される隙間８が形成される。このように、押さえ巻き５は押さえ巻き両端間に指を挿入できる程度の隙間８が設けられた開き構造を有する。押さえ巻き５を横巻きにした時にはきつい締りとなるが、開き巻きであるとゆるい締りになる。１９はテンションメンバである。
【００２０】
このようにして、ＳＺ撚り溝付きのスペーサ１に光ファイバ心線３が収容され、その上側に粗巻き４と押さえ巻き５が開き方向に巻かれた光ファイバ心線集合構造体５０が構成される。この光ファイバ心線集合構造体５０を貫通孔（図示せず）に通過させながら、光ファイバ心線集合構造体５０の周囲に熱可塑の溶融した樹脂が被覆され、冷却に伴なってシース６が形成される。すなわち光ファイバ心線集合構造体５０の上側にシースが溶着、冷却されて固定される。光ファイバ心線集合構造体５０の面には引き裂き紐７が配設してあって、シースを引き裂く時にこの引き裂き紐７が使用される。シース６の引き裂きは他の方法による操作によってなされてもよい。
【００２１】
押さえ巻き５には、押さえ巻き間に隙間８を設けた開き巻き構造が形成される。この隙間（ギャップ）は予め定めた距離で等間隔で形成されるが、１例として１〜１０ｍｍとされる。望ましくは１〜２ｍｍとされる。限りなく小さな隙間とされる。図１では隙間１〜５ｍｍの例が示してある。
【００２２】
これによって、押さえ巻き５は、押さえ巻き間に隙間が設けられた開き巻き構造が設けられていて開き巻きのために巻き締りは弱いので、押さえ巻き５の上側に他の粗巻き２１が巻回される。シース６の一部を長手方向に引き裂いた場合に、開き構造のため、押さえ巻き５の締りが弱く、解放された隙間に指を容易に挿入することができる。指を隙間に挿入して押さえ巻き５の端部を摘み、すなわち把持して押さえ巻きを切断、除去することを行う。押さえ巻き５には端から予め小さな切れ目を入れておくと指で両部を摘んだ時により簡単に押さえ巻き５を切断することができる。切れ目は定間隔で複数設けるようにする。
【００２３】
シース６と粗巻き４とは熱可塑性材料から構成する。一般的なシース被覆方法である加熱して溶融状態にしたシース材を押し出し被覆する場合に、シースの有する熱により、粗巻きは溶融あるいは半溶融状態（以下、溶融といった場合にこの半溶融状態を含むものとする。）となり、特段の工程を設けなくても、シース６と粗巻き４とを接着することができる。
【００２４】
これによって、押さえ巻き５は、押さえ巻き間に隙間が設けられた開き巻き構造が設けられているために、粗巻き４は、シース６の光ファイバ心線集合構造体５０上への高温加熱成形被覆時に溶融されて、粗巻き４は刃物を用いることなく切断された状態となる。
【００２５】
熱可塑性樹脂としては、高密度ポリエチレン、中密度ポリエチレン、低密度ポリエチレン、ポリエステル、ポリアミド、ポリプロピレン、ポリエチレンテレフタレート、ナイロンおよびこれらの各種材料の組み合わせ等がある。シース６および粗巻き４には熱可塑性樹脂が採用し得るが、望ましくは高融点熱可塑性樹脂を選定し、粗巻き４には低融点熱可塑性材料を選定するのがよい。例えば、シース６に高密度ポリエチレンを選定し、粗巻きには低密度ポリエチレンを選定するのがよい。
【００２６】
このようにして、シース６に高密度熱可塑性樹脂を使用し、粗巻きに低密度熱可塑性樹脂を使用し、粗巻き４をシース６の光ファイバ心線集合体５０上への高温加熱成形被覆時に、開き巻き構造の隙間８を介して熱移動によって溶融して切断状態に置き、押さえ巻き５を除去後または除去と同時に粗巻き４を除去することを行うテープスロット型光ファイバケーブルの中間後分岐作業方法を構成する。
【００２７】
図３は、押さえ巻き５を切り裂く状態を示す。図３（ａ）に示すように、シース６が除去されて、スペーサ１上に粗巻き４、押さえ巻き５および他の粗巻き２１が巻回される。図３（ｂ）に示すように、他の粗巻き２１を除去すると、押さえ巻き５は締りが解けた状態となって解放される。このようにして、当初小さな隙間を形成しておいて、当初作成しておいた隙間８よりも間隙の大きな解放された隙間８´を形成することができる。隙間８によってこのように解放した隙間８´に指先を入れて押さえ巻き５の端部を摘み、把持する。押さえ巻き５は開き巻きとされているために締りが弱く、他の粗ら巻き２１を取り除くと締りが弱い状態となって解放され、容易に隙間８から指先を挿入することができる。このような状態で、端部を引張ると押さえ巻き５を容易に引き裂くことができる。この状態を図３（ｃ）に示す。引き裂かれた押さえ巻き５は容易に除去することが出来る。その後に切断状態の粗巻き４を除去する。
【００２８】
図４に示すように、スペーサに光ファイバテープ心線を収容し（Ｓ１）、その上側に粗巻きを巻き（Ｓ２）、押さえ巻きを巻回する。この場合に、押さえ巻き間には隙間を設けて開き巻き構造を構成する（Ｓ３）。シースの上側に押さえ巻きを締めるために他の粗巻きを形成し（Ｓ４）、光ファイバ心線集合構造体を構成する（Ｓ５）。光ファイバ心線集合構造体に、熱可塑樹脂を高温加熱成形法によって溶融してシール被覆を形成する（Ｓ６）。隙間を介しての熱移動によって粗巻きを溶融させ、切断状態にする（Ｓ７）。
【００２９】
中間後分岐作業時に、シースを引き裂く（Ｓ８）。この切断後に、他の粗巻きを除去して（Ｓ９）、隙間に指を挿入して押さえ巻きの両端部を摘んで押さえ巻きを切断、除去する（Ｓ１０）。押さえ巻きの除去後に、もしくは除去と同時に切断状態にあった粗巻きを除去する（Ｓ１１）。
【００３０】
このように、押さえ巻きを縦巻きに巻いて、押さえ巻き両端間に隙間が設けられた開き巻き構造を形成し、シース６を引き裂いた後に、隙間８に指を入れて押さえ巻きの端部を把持して押さえ巻き５を切断、除去するようにした中間後分岐作業方法が形成される。
【図面の簡単な説明】
【００３１】
【図１】本発明の実施例の構成を示す図。
【図２】図１の断面図。
【図３】押さえ巻きを指で摘まんで切り裂く状態を示す図。
【図４】フローチャートを示す図。
【符号の説明】
【００３２】
１…スペーサ（ＳＺ撚り溝付きのスペーサ）、２…スロット、３…光ファイバテープ心線、４…粗巻き、５…押さえ巻き、６…シース、７…引き裂き紐、８…隙間、１１…端面、２１…他の粗巻き、５０…光ファイバ心線集合構造体、１００…テープスロット型光ファイバケーブル。
【図１】
2009271300.tif 000003
【図２】
2009271300.tif 000004
【図３】
2009271300.tif 000005
【図４】
2009271300.tif 000006